(57)【要約】【課題】専用治具などを用いることなく、係止部材を、容易かつ確実に本係止位置に変位させる。【解決手段】本明細書によって開示されるレバー式コネクタは、複数の雌端子２０を収容するハウジング３０と、ハウジング３０の嵌合部３２における上面に設けられたリテーナ装着孔３４に装着され、複数の雌端子２０の挿入を可能とする仮係止位置と複数の雌端子２０に係止して抜け止めする本係止位置との間を変位可能なリテーナ４０と、角部５３を有しハウジング３０においてリテーナ装着孔３４が設けられた嵌合部３２の上面に沿うように支持されたレバー５０とを備え、レバー５０において角部５３を構成する一対の側縁５３Ｂは、本係止位置に向けてリテーナ４０を押圧するために指を宛がうことが可能な一対の指掛け部５７とされているところに特徴を有する。【選択図】図７
2016091760.tif 000002
【特許請求の範囲】
【請求項１】
複数の端子を収容するハウジングと、
前記ハウジングの外面に設けられた装着孔に装着され、前記複数の端子の挿入を可能とする仮係止位置と前記複数の端子に係止して抜け止めする本係止位置との間を変位可能な係止部材と、
角部を有し前記ハウジングにおいて前記装着孔が設けられた外面に沿うように支持されたレバーとを備え、
前記レバーにおいて前記角部を構成する側縁は、前記本係止位置に向けて前記係止部材を押圧するために指を宛がうことが可能な指掛け部とされているレバー式コネクタ。
【請求項２】
前記係止部材は横長に形成されており、
前記指掛け部は、前記角部が前記係止部材の横方向中央に配されることで同角部を構成する両側縁に設けられている請求項１に記載のレバー式コネクタ。
【請求項３】
前記指掛け部は、前記角部の頂点を中心に横方向に対称な配置とされている請求項２に記載のレバー式コネクタ。
【請求項４】
前記係止部材における横方向両端部には、前記装着孔が設けられた前記ハウジングの外面に沿うようにして前記指掛け部から離れる方向に延びる補助操作部が設けられている請求項１から請求項３の何れか一項に記載のレバー式コネクタ。
【発明の詳細な説明】
【技術分野】
【０００１】
本明細書によって開示される技術は、レバーを備えたレバー式コネクタに関する。
【背景技術】
【０００２】
例えば、レバーを備えたコネクタとして、特開２０１２−６９３０６号公報（下記特許文献１）に記載のものが知られている。このレバー式コネクタは、雌端子を収容する箱形状のハウジングと、ハウジングの下壁に設けられたリテーナ収容孔に収容されるリテーナと、リテーナ収容孔における開口の大部分を覆うようにハウジングの上下壁に回動可能に支持されたレバーとを備えており、リテーナは、雌端子の挿入を可能にする仮係止位置と、雌端子と係止して抜け止めする本係止位置との間を変位可能となっている。コネクタを組み立てる際には、ハウジングに雌端子を収容した後、リテーナを仮係止位置から本係止位置に変位させ、レバーを装着する。
【０００３】
また、ハウジングにレバーが装着された状態で、スペーサやリテーナなどの係止部材を仮係止位置から本係止位置に変位させるレバー式コネクタとして、特開２０１２−２８０１２号公報（下記特許文献２）が知られている。このレバー式コネクタは、押しピンが設けられた専用治具を用いることにより、レバーが装着された状態でも、仮係止位置から本係止位置に係止部材を変位させることができるようになっている。
【先行技術文献】
【特許文献】
【０００４】
【特許文献１】特開２０１２−６９３０６号公報
【特許文献２】特開２０１２−２８０１２号公報
【発明の概要】
【発明が解決しようとする課題】
【０００５】
ところで、特許文献１のコネクタは、組み立て後においては、メンテナンスなどにより雌端子を抜き差しする際、レバーが既にハウジングに装着されているため、リテーナを仮係止位置から本係止位置に変位させ難い。このため、リテーナの本係止位置への変位が不十分となる虞があり、これにより、端子の係止が不十分となってしまう虞がある。
また、特許文献２のコネクタでは、係止部材を本係止位置に容易に変位させることができるものの、専用治具を用いる必要があり、組み付け作業が繁雑になってしまう。
【０００６】
本明細書では、専用治具などを用いることなく、係止部材を、容易かつ確実に本係止位置に変位させる技術を開示する。
【課題を解決するための手段】
【０００７】
本明細書によって開示される技術は、レバー式コネクタであって、複数の端子を収容するハウジングと、前記ハウジングの外面に設けられた装着孔に装着され、前記複数の端子の挿入を可能とする仮係止位置と前記複数の端子に係止して抜け止めする本係止位置との間を変位可能な係止部材と、角部を有し前記ハウジングにおいて前記装着孔が設けられた外面に沿うように支持されたレバーとを備え、前記レバーにおいて前記角部を構成する側縁は、前記本係止位置に向けて前記係止部材を押圧するために指を宛がうことが可能な指掛け部とされているところに特徴を有する。
このような構成のレバー式コネクタによると、レバーの角部から延びる側縁である指掛け部に指を宛がうことにより、係止部材を容易に押圧することができる。これにより、専用治具などを用いることなく、係止部材を本係止位置に確実に至らしめ、複数の端子を係止することができる。
【０００８】
本明細書によって開示される技術の態様として、以下の構成が好ましい。
前記係止部材は横長に形成されており、前記指掛け部は、前記角部が前記係止部材の横方向中央に配されることで同角部を構成する両側縁に設けられている構成としてもよい。
このような構成によると、角部の両側に設けられた指掛け部に指を宛がうことによって係止部材の横方向両端部を均等に押圧することができるから、係止部材を傾いた不正な姿勢にさせることなく、仮係止位置から本係止位置に変位させることができる。
【０００９】
前記指掛け部は、前記角部の頂点を中心に横方向に対称な配置とされている構成としてもよい。
このような構成によると、係止部材に対して指を均等に宛がうことができ、係止部材をより均等に押圧することができる。
【００１０】
前記係止部材における横方向両端部には、前記装着孔が設けられた前記ハウジングの外面に沿うようにして前記指掛け部から離れる方向に延びる補助操作部が設けられている構成としてもよい。
このような構成によると、押圧操作部に加えて補助操作部が追加されることで押圧可能な面積が増えるから、指掛け部に宛がう指によって係止部材をさらに押圧し易くすることができる。
【発明の効果】
【００１１】
本明細書によって開示される技術によれば、専用治具などを用いることなく、係止部材を、容易かつ確実に本係止位置に変位させることができる。
【図面の簡単な説明】
【００１２】
【図１】リテーナが仮係止位置に配されレバーが嵌合完了位置に配された状態のレバー式コネクタの斜視図
【図２】同正面図
【図３】同平面図
【図４】同側面図
【図５】図２のＡ−Ａ線断面図
【図６】リテーナが仮係止位置に配されレバーが嵌合初期位置に配された状態のレバー式コネクタの斜視図
【図７】同平面図
【図８】リテーナが本係止位置に配されレバーが嵌合初期位置に配された状態のレバー式コネクタの斜視図
【図９】同正面
【図１０】同側面
【図１１】リテーナが本係止位置に配された状態を示す断面図であって、図５の断面に相当する断面図
【発明を実施するための形態】
【００１３】
＜実施形態＞
実施形態について図１から図１１を参照して説明する。
本実施形態は、レバー５０が回動可能に支持されたレバー式コネクタ１０を例示しており、このレバー式コネクタ１０は、レバー５０を回動操作することによって図示しない相手方コネクタと嵌合および離脱可能とされている。なお、以下の説明において、上下方向とは図２における上下方向を基準とし、左右方向とは図２における左右方向を基準として説明する。また、前後方向とは図３および図４における左右方向を基準とし、図３および図４における図示左方を前方、図示右方を後方として説明する。
【００１４】
レバー式コネクタ１０は、複数の雌端子（「端子」の一例）２０が収容されるハウジング３０と、複数の雌端子２０と係止するリテーナ（「係止部材」の一例）４０とを備えて構成されており、ハウジング３０の外面にレバー５０が装着されている。
雌端子２０は、図５に示すように、角筒状をなす端子接続部２１の後方に電線接続部２３が設けられた形態とされており、電線接続部２３が電線Ｗの端末に圧着されることで、電線Ｗの端末に雌端子２０が接続されている。
【００１５】
ハウジング３０は、図１から図４に示すように、合成樹脂製であって、略方形のブロック状をなしている。ハウジング３０の内部には、図５に示すように、前後に貫通する複数のキャビティ３１が形成されている。各キャビティ３１内には、雌端子２０が後方から個別に収容されるようになっており、キャビティ３１内に雌端子２０が収容されるとハウジング３０の後面から複数の電線Ｗが引き出された状態となる。
また、ハウジング３０の前部は、相手方コネクタと嵌合可能な嵌合部３２とされており、嵌合部３２の外周面には相手方コネクタとの間を止水する略矩形環状のゴムリングＧが嵌着されている。
【００１６】
ハウジング３０の前後方向略中央部には、図１、図３および図５に示すように、ゴムリングＧの外側に全周に亘って配される保護壁３３が設けられており、この保護壁３３によってゴムリングＧは他の部材から保護されている。
嵌合部３２の上面３２ＡにおけるゴムリングＧよりも前側の位置には、リテーナ４０が挿入されるリテーナ装着孔（「装着孔」の一例）３４が上方に開口して設けられている。リテーナ装着孔３４は、左右方向に横長で嵌合部３２の上面３２Ａから下方に延びた形態をなしており、各キャビティ３１に連通している。
【００１７】
リテーナ４０は、図５および図１１に示すように、リテーナ装着孔３４の上方から挿入されてハウジング３０に装着されるようになっており、図５に示すように、キャビティ３１内への雌端子２０の挿入を可能とする仮係止位置と、図１１に示すように、雌端子２０に係止して抜け止めする本係止位置との間を上下方向に変位可能とされている。
リテーナ４０は、リテーナ装着孔３４の上端開口を塞ぐ板状の蓋部４１と、蓋部４１から下方に延びるリテーナ本体４２とを有しており、リテーナ４０とハウジング３０との間に設けられた図示しない係止機構によって、仮係止位置と本係止位置とに係止可能とされている。
【００１８】
リテーナ本体４２は、図５および図１１に示すように、前後方向に薄肉の平板状に形成されており、リテーナ本体４２には、各キャビティ３１に対応する複数の抜け止め部４３が設けられている。抜け止め部４３は、リテーナ本体４２が図５に示す仮係止位置に配されると、ハウジング３０内における雌端子２０の進入経路から上方に退避し、キャビティ３１内への雌端子２０の挿入を許容する。そして、リテーナ本体４２が図１１に示す本係止位置に配されると、抜け止め部４３が雌端子２０の進入経路内に進入し、雌端子２０の端子接続部２１が抜け止め部４３によって後方から係止されることで、雌端子２０の抜け止めが図られるようになっている。
【００１９】
蓋部４１は、図３および図７に示すように、リテーナ装着孔３４の上端開口における内周形状とほぼ同じ外周形状の左右方向に横長な形態をなしている。蓋部４１は、図１、図２、図４および図５に示すように、仮係止位置では嵌合部３２の上面３２Ａから上方に僅かに突出しており、本係止位置では、図８から図１１に示すように、蓋部４１の上面４１Ａが嵌合部３２の上面３２Ａとほぼ面一となるようにリテーナ装着孔３４内に収容されることで、リテーナ装着孔３４の上端開口を塞ぐようになっている。
【００２０】
また、蓋部４１の上面４１Ａにおける左右方向両側部は、図７に示すように、押圧操作可能な一対の押圧操作部４４とされている。蓋部４１が一対の押圧操作部４４によって押圧操作されると、リテーナ４０が左右均一にリテーナ装着孔３４に挿入され、リテーナ本体４２が仮係止位置から本係止位置に変位することで、抜け止め部４３によって雌端子２０が抜け止めされるようになっている。
【００２１】
また、蓋部４１の左右方向両端部には、図６および図７に示すように、前方に突出する一対の補助操作部４５が設けられている。一対の補助操作部４５は、蓋部４１の左右方向両端部における前縁から嵌合部３２の上面３２Ａに沿うように略Ｌ字状に突出した形態をなしており、押圧操作部４４に加えて補助操作部４５を追加し、押圧可能な面積を増やすことで、リテーナ４０をさらに押圧し易くすることができるようになっている。
【００２２】
レバー５０は、図４、図５、図１０および図１１に示すように、上下方向に対向する一対のカム板５１を回動操作部５２によって上下方向に連結した形態とされている。
一対のカム板５１は、図３に示すように、何れも前端両側に丸みを帯びた角部５３を有する略矩形平板状に形成されている。角部５３のうちの右方の角部（図３の図示下側の角部）５３を構成する一対の側縁５３Ｂは、頂点部５３Ａを中心に一対の側縁５３Ｂ間の角度が約９０度となる配置とされている。
【００２３】
各カム板５１の後部には、板厚方向に貫通する貫通孔５４がそれぞれ形成されている。貫通孔５４には、ハウジング３０の後部における上下面に設けられた一対の支持軸３６が嵌合可能とされており、一対のカム板５１の貫通孔５４に一対の支持軸３６が嵌合されることで、一対のカム板５１がハウジング３０の上下面に沿うようにハウジング３０に支持されると共に、支持軸３６を中心に図６から図１０に示す嵌合初期位置と図１から図４に示す嵌合完了位置との間を回動変位可能となる。
【００２４】
また、一対のカム板５１には、図１および図６に示すように、互いに対向する内側の面にカム溝５５が設けられている。カム溝５５は、カム板５１の側縁から貫通孔５４に近づくように略円弧状に形成されている。カム溝５５は、嵌合初期位置では、図９に示すように、カム溝５５の入口が前方に向けて開口した状態となり、カム溝５５の入口から相手方コネクタの図示しないカムピンが導入可能となる。カム溝５５内に相手方コネクタのカムピンが導入され、レバー５０を嵌合初期位置から嵌合完了位置に向けて回動させると、カムピンがカム溝５５に沿って移動し、カム作用によりレバー式コネクタ１０と相手方コネクタとが互いに引き寄せられて嵌合されるようになっている。
【００２５】
回動操作部５２は、図１０に示すように、一対のカム板５１間を上下方向に直線状に繋ぐ平板状に形成されており、嵌合初期位置では、図１０に示すように、ハウジング３０のキャビティ３１の後方に配され、嵌合完了位置では、図３に示すように、ハウジング３０の側面に沿って配されるようになっている。この回動操作部５２を操作することにより、一対のカム板５１が嵌合初期位置と嵌合完了位置との間を回動変位するようになっている。
【００２６】
ところで、例えば、ハウジング３０内に雌端子２０を収容する前に、レバー式コネクタ１０を搬送したり、出荷したりする場合がある。その場合には、ハウジング３０に対して雌端子２０を挿入する挿入作業を、後で円滑に行うためにレバー５０を嵌合完了位置に保持した状態でレバー式コネクタ１０を管理する。また、ハウジング３０内に雌端子２０を収容した後では、相手方コネクタとの嵌合を円滑に行うために、レバー５０を嵌合初期位置に保持した状態でレバー式コネクタ１０を管理する。このため、各カム板５１の後端外周縁部には、図１、図４および図６に示すように、レバー５０を嵌合初期位置および嵌合完了位置に保持する弾性係止片５６が設けられている。
【００２７】
弾性係止片５６は、各カム板５１の後端側縁からカム板５１の外縁に沿うようにして前方に向けて延出されており、弾性係止片５６の基端部を支点に上下方向に弾性変位可能に形成されている。各弾性係止片５６の先端部は、ハウジング３０の保護壁３３側に向けて突出しており、弾性係止片５６の先端部がハウジング３０の保護壁３３に設けられた初期係止溝３７および完了係止溝３８に係止することでレバー５０が嵌合初期位置および嵌合完了位置に保持されるようになっている。
【００２８】
初期係止溝３７は、保護壁３３の前端縁から後方に向けて延びる溝状に形成されており、この初期係止溝３７に弾性係止片５６の先端部が前方から係止することでレバー５０が嵌合初期位置に保持されるようになっている（図６および図８を参照）。また、完了係止溝３８は、図４に示すように、保護壁３３の後端部において内側に凹んだ形態とされており、この完了係止溝３８に弾性係止片５６の先端部が後方から係止することでレバー５０が嵌合完了位置に保持されるようになっている（図１および図４を参照）。そして、弾性係止片５６が弾性変位して、初期係止溝３７と完了係止溝３８との間に配された保護壁３３を乗り越えることで、レバー５０が嵌合初期位置もしくは嵌合完了位置に保持されるようになっている。
【００２９】
さて、レバー５０の一対のカム板５１のうち、嵌合部３２の上面３２Ａに沿って配された上側カム板５１Ｕは、嵌合完了位置に配されると、図３から図５に示すように、リテーナ４０の蓋部４１における一対の押圧操作部４４の外面を外側から覆うようにして配され、上側カム板５１Ｕが押圧操作部４４のほぼ全体を覆うことで、押圧操作部４４が操作できないようになる。
【００３０】
一方、上側カム板５１Ｕが、嵌合初期位置に配されると、図６および図７に示すように、上側カム板５１Ｕの前端両端部における一方の角部５３の頂点部５３Ａが前端に配されるようにして上側カム板５１Ｕがリテーナ４０の左右方向中央部のみを覆った状態となる。したがって、リテーナ４０の上方に角部５３を構成する一対の側縁５３Ｂが、図７に示すように、頂点部５３Ａを中心に左右対称となるようにして互いに離れるように斜め後方に延びて配され、一対の側縁５３Ｂの左右方向両側に一対の押圧操作部４４が露出して配される。
【００３１】
また、リテーナ４０の上方に配された一対の側縁５３Ｂは、図７に示すように、左右両側から指Ｆをそれぞれ宛がうことが可能な一対の指掛け部５７とされ、この一対の指掛け部５７に指Ｆを宛がうことで、一対の押圧操作部４４を容易に押圧することができるようになっている。
つまり、一対の押圧操作部４４に対して指Ｆを均等に配することができ、リテーナ４０を左右に傾いた不正な姿勢にすることなくリテーナ装着孔３４に挿入することで、図８から図１１に示すように、リテーナ４０を本係止位置に確実に至らしめることができる。ひいては、複数の雌端子２０を確実に係止することができる。
【００３２】
また、仮に指掛け部５７から指Ｆが前方にずれが場合においても、リテーナ４０には、一対の押圧操作部４４に加えて補助操作部４５が追加されており、押圧可能な面積が大きくなっているから、確実にリテーナ４０を押圧することができる。
【００３３】
本実施形態は、以上のような構成であって、続いて、レバー式コネクタ１０の作用および効果について説明する。
レバー式コネクタ１０は、ハウジング３０内に雌端子２０を収容する前の状態では、雌端子２０の挿入作業を円滑に行うために、図１から図５に示すように、リテーナ４０が仮係止位置に保持されレバー５０が嵌合完了位置に保持されており、この状態において、部品管理や搬送などが行われる。
【００３４】
ここで、仮に、嵌合部３２に装着されたリテーナ４０の外面が露出された状態になっていると、搬送などの際に、他のレバー式コネクタや他の部材がリテーナ４０の押圧操作部４４に接触するなどして、リテーナ４０が仮係止位置から本係止位置に変位してしまう虞がある。
しかしながら、本実施形態によると、レバー５０が嵌合完了位置に保持された状態では、レバー５０の上側カム板５１Ｕが、リテーナ４０の外面である蓋部４１の上方に配され、リテーナ４０の一対の押圧操作部４４全体をほぼ覆った状態となっている。
【００３５】
つまり、搬送などの際に、他のレバー式コネクタや他の部材がレバー式コネクタ１０に接触したとしても、他のレバー式コネクタや他の部材がリテーナ４０の一対の押圧操作部４４に接触することを抑制し、リテーナ４０が本係止位置に向かって押圧されることを防ぐことができるようになっている。
【００３６】
次に、レバー式コネクタ１０の組み立て手順を簡単に説明する。
リテーナ４０が仮係止位置に保持されると共に、レバー５０が嵌合完了位置に保持されたハウジング３０のキャビティ３１内に雌端子２０を後方から挿入する。このとき、レバー５０の回動操作部５２は、ハウジング３０の後方ではなくハウジング３０の側面に沿って配されているため、レバー５０を回動させることなく、雌端子２０の挿入作業を円滑に行うことができる。
【００３７】
ハウジング３０内に所定数量の雌端子２０が収容されたところで、リテーナ４０の一対の押圧操作部４４を上方から押圧し、リテーナ４０を仮係止位置から本係止位置に変位させる。
このとき、例えば、リテーナ４０の一対の押圧操作部４４がレバーなどの他の部材によって覆われたままの状態では、押圧操作し辛く、専用の治具などを用いてリテーナ４０を操作することになってしまう。
【００３８】
ところが、本実施形態によると、相手方コネクタとの嵌合に備えて回動操作部５２を操作してレバー５０を嵌合完了位置から嵌合初期位置に変位させると、上側カム板５１Ｕがハウジング３０の支持軸３６を中心に回動し、図６および図７に示すように、リテーナ４０の一対の押圧操作部４４が上側カム板５１Ｕから露出した状態となる。
詳細には、上側カム板５１Ｕが嵌合初期位置に配されると、図７に示すように、上側カム板５１Ｕの一方の角部５３が前端に配されることで、上側カム板５１Ｕがリテーナ４０の左右方向中央部のみを覆った状態となる。そして、角部５３を構成する一対の側縁５３Ｂが一対の指掛け部５７として角部５３の頂点部５３Ａを中心に左右対称に配され、一対の指掛け部５７の左右方向両側に一対の押圧操作部４４が露出して配される。
【００３９】
つまり、本実施形態によると、ハウジング３０内に所定数の雌端子２０を挿入した後、相手方コネクタとの嵌合のためにレバー５０を嵌合完了位置から嵌合初期位置に変位させることで、リテーナ４０を本係止位置に変位させるための一対の押圧操作部４４を露出させることができる。
【００４０】
また、一対の押圧操作部４４が露出すると、一対の押圧操作部４４の左右方向中央側には、左右方向両側から指Ｆを宛がうことが可能な一対の指掛け部５７が配される。すなわち、一対の指掛け部５７に指Ｆを宛がい、一対の押圧操作部４４を均等に押圧することで、リテーナ４０を左右に傾いた不正な姿勢にすることなく本係止位置に変位させることができ、複数の雌端子２０を確実に係止することができる。
【００４１】
また、仮に指掛け部５７から指Ｆが前方にずれる場合においても、一対の押圧操作部４４に加えて補助操作部４５が追加されることで押圧可能な面積が大きくなっているから、確実にリテーナ４０を押圧することができる。
このようにしてレバー式コネクタ１０の組み立てが完成し、完成したレバー式コネクタ１０を相手方コネクタに嵌合させることができる。
【００４２】
以上のように、本実施形態のレバー式コネクタ１０によると、雌端子２０を挿入する前の状態では、レバー５０が嵌合完了位置に保持され、レバー５０の上側カム板５１Ｕが仮係止位置に配されたリテーナ４０の一対の押圧操作部４４全体をほぼ覆った状態となっているから、他のレバー式コネクタや他の部材がリテーナ４０の一対の押圧操作部４４に接触することを抑制し、リテーナ４０が本係止位置に向かって押圧されることを防ぐことができる。
【００４３】
そして、相手方コネクタとの嵌合に備えてレバー５０を嵌合初期位置に変位させると、上側カム板５１Ｕが回動することで、一対の指掛け部５７がリテーナ４０の左右方向中央部に配され、一対の指掛け部５７の左右方向両側に一対の押圧操作部４４が露出して配される。これにより、一対の指掛け部５７に指Ｆを宛がって一対の押圧操作部４４を容易かつ均等に押圧することができる。これにより、リテーナ４０を本係止位置に確実に変位させることができ、複数の雌端子２０を確実に係止することができる。
【００４４】
＜他の実施形態＞
本明細書で開示される技術は上記記述及び図面によって説明した実施形態に限定されるものではなく、例えば次のような種々の態様も含まれる。
（１）上記実施形態では、レバー５０を回動変位可能な構成にした。しかしながら、これに限らず、レバーをスライド可能な構成にしてもよい。
（２）上記実施形態では、上側カム板５１Ｕの角部５３を構成する一対の側縁５３Ｂを一対の指掛け部５７として構成した。しかしながら、これに限らず、角部の一対の側縁のうちの一方のみを指掛け部として構成してもよい。
（３）上記実施形態では、角部５３の一対の側縁５３Ｂの間の角度を約９０度に構成した。しかしながら、これに限らず、一対の側縁５３Ｂの間の角度を鋭角や鈍角に構成してもよい。
【符号の説明】
【００４５】
１０：レバー式コネクタ
２０：雌端子（端子）
３０：ハウジング
３４：リテーナ装着孔（装着孔）
４０：リテーナ（係止部材）
４５：補助操作部
５０：レバー
５３：角部
５７：指掛け部
【図１】
2016091760.tif 000003
【図２】
2016091760.tif 000004
【図３】
2016091760.tif 000005
【図４】
2016091760.tif 000006
【図５】
2016091760.tif 000007
【図６】
2016091760.tif 000008
【図７】
2016091760.tif 000009
【図８】
2016091760.tif 000010
【図９】
2016091760.tif 000011
【図１０】
2016091760.tif 000012
【図１１】
2016091760.tif 000013